(57)【要約】      （修正有）【課題】建物のプラン自体を改変することなく外壁面の単調さを改善することができる建物を提供する。【解決手段】建物２では、外壁面３ａの水平方向の中間部に、複数本の縦桟材を有する矩形状のルーバースクリーン１，１を取り付け、建物２の最下層である１階Ｆ１の下端から中間部における最上層である２階Ｆ２の上端まで達するように、ルーバースクリーン１，１を設け、ルーバースクリーン１，１の水平方向の両側に、ルーバースクリーン１，１によって覆われずに露出する第１領域５１および第２領域５２を形成し、これにより、ルーバースクリーン１，１により外壁面３ａを分断し、非連続とし、建物２のプラン自体を改変することなく、外壁面３ａの単調さを改善する。【選択図】図１
2015031048.tif 000002
【特許請求の範囲】
【請求項１】
複数の階層を備え、鉛直面に沿って延びる外壁面の一部にルーバースクリーンが取り付けられた建物において、
前記複数の階層にわたって連続し、同一面内に形成された前記外壁面と、
複数本の縦桟材を有し、前記外壁面の水平方向の中間部において前記外壁面に沿って平行に取り付けられた矩形状の前記ルーバースクリーンと、を備え、
前記ルーバースクリーンは、前記ルーバースクリーンが取り付けられた前記外壁面の最下層である１階の下端から、前記中間部における最上層の上端まで達するように設けられており、
前記ルーバースクリーンの前記水平方向の一方側および他方側には、前記外壁面が前記ルーバースクリーンによって覆われずに露出する部分である第１領域および第２領域がそれぞれ形成されている
ことを特徴とする建物。
【請求項２】
前記外壁面は、互いに隣接すると共に異なる高さを有する低壁部と高壁部とを有し、
前記ルーバースクリーンは、前記低壁部および前記高壁部のいずれか一方に沿って取り付けられており、
前記ルーバースクリーンの前記水平方向の側端部は、前記低壁部と前記高壁部との境界線に略一致している
ことを特徴とする請求項１に記載の建物。
【請求項３】
前記外壁面が前記ルーバースクリーンによって覆われた部分である第３領域において、所定の階層に設けられた窓の水平方向の位置は、他の階層に設けられた窓の水平方向の位置に対してずれている
ことを特徴とする請求項１または２に記載の建物。
【請求項４】
前記第１領域および前記第２領域の少なくとも一方の領域において、所定の階層に設けられた窓の水平方向の位置は、他の階層に設けられた窓の水平方向の位置と一致する
ことを特徴とする請求項１〜３のいずれか一項に記載の建物。
【請求項５】
前記第１領域および前記第２領域の少なくとも一方の領域において、前記ルーバースクリーンが取り付けられた前記外壁面の最下層である１階から最上層までのいずれかの１つの階層にのみ窓が設けられる
ことを特徴とする請求項１〜３のいずれか一項に記載の建物。
【請求項６】
前記第１領域および前記第２領域の少なくとも一方の領域において、前記ルーバースクリーンが取り付けられた前記外壁面の最下層である１階から最上層までのいずれの階層にも窓が設けられない
ことを特徴とする請求項１〜３のいずれか一項に記載の建物。
【請求項７】
前記第１領域および前記第２領域の少なくとも一方の領域において、１または複数の窓が設けられており、前記窓は、当該一方の領域内において左右対称に配置されている
ことを特徴とする請求項１〜３のいずれか一項に記載の建物。
【請求項８】
所定の平面モジュールを有する規格化建物であり、
前記外壁面は、前記平面モジュールの整数倍の幅を有する壁パネル及び窓が連設されて構成されており、
前記複数本の縦桟材の配列ピッチは、前記平面モジュールの整数分の１であり、
前記壁パネルの目地の端部または前記窓の端部の位置が前記複数本の縦桟材のうち１本の位置に一致する
ことを特徴とする請求項１〜６のいずれか一項に記載の建物。
【発明の詳細な説明】
【技術分野】
【０００１】
本発明は、特に、外壁面の一部にルーバースクリーンが取り付けられた建物に関する。
【背景技術】
【０００２】
住宅の計画においては、例えば南側に広い空地（庭など）を確保するために、極力北側に無駄な空間が形成されないように、北側の敷地境界線に近接して建物を配置することがある。この場合、北側の外壁面には、外観に変化を与えるベランダ等は設けられない。そのため、北側の外壁面が扁平で単調なものとなりがちである。
【０００３】
また、建物の北側には、水廻りや階段室などが配置されて室内空間が細かく区画されることが多い。そのため、北側の外壁面における窓の位置や大きさは、室内空間の制約を受けやすく、窓の位置を見栄えよく揃えることは難しい。たとえば、上下階で窓の位置や大きさを揃えるのは難しい。特に、敷地が北側で接道している場合などは、このような単調さや不揃い感が特に目立って印象を悪くする。
【０００４】
下記の特許文献１には、折れ階段を被覆する被覆壁の開口部に設けられた、複数本の縦桟及び横桟からなる面格子パネルが記載されている。この建物では、面格子パネルによって階段を隠しながら通風および採光を確保することにより、外観性を高めている。
【先行技術文献】
【特許文献】
【０００５】
【特許文献１】特開２００２−３０８７６号公報
【発明の概要】
【発明が解決しようとする課題】
【０００６】
しかしながら、この面格子パネルは、開口部に嵌め込まれるようにして取り付けられるものであり、被覆壁自体の連続性すなわち単調さは変わらない。単調さを改善するためには、被覆壁すなわち建物のプラン自体を改変する必要がある。
【０００７】
本発明は、建物のプラン自体を改変することなく外壁面の単調さを改善することができる建物を提供することを目的とする。
【課題を解決するための手段】
【０００８】
本発明の建物は、複数の階層を備え、鉛直面に沿って延びる外壁面の一部にルーバースクリーンが取り付けられた建物において、複数の階層にわたって連続し、同一面内に形成された外壁面と、複数本の縦桟材を有し、外壁面の水平方向の中間部において外壁面に沿って平行に取り付けられた矩形状のルーバースクリーンと、を備え、ルーバースクリーンは、ルーバースクリーンが取り付けられた外壁面の最下層である１階の下端から、中間部における最上層の上端まで達するように設けられており、ルーバースクリーンの水平方向の一方側および他方側には、外壁面がルーバースクリーンによって覆われずに露出する部分である第１領域および第２領域がそれぞれ形成されていることを特徴とする。
【０００９】
この建物によれば、外壁面の水平方向の中間部には、複数本の縦桟材を有する矩形状のルーバースクリーンが取り付けられる。このルーバースクリーンは、最下層である１階の下端から、中間部における最上層の上端まで達するように設けられて、ルーバースクリーンの水平方向の一方側および他方側には、ルーバースクリーンによって覆われずに露出する第１領域および第２領域が形成される。このように、本来単調である外壁面は、１階の下端から最上層の上端まで連層で設けられたルーバースクリーンにより分断されて、非連続となる。よって、建物のプラン自体を改変することなく外壁面の単調さを改善することができる。
【００１０】
上記建物において、外壁面は、互いに隣接すると共に異なる高さを有する低壁部と高壁部とを有し、ルーバースクリーンは、低壁部および高壁部のいずれか一方に沿って取り付けられており、ルーバースクリーンの水平方向の側端部は、低壁部と高壁部との境界線に略一致している。この構成によれば、低壁部および高壁部のいずれか一方に沿って取り付けられたルーバースクリーンの側端部が低壁部と高壁部との境界線に略一致するため、露出している方の壁部とルーバースクリーンとの境界が一直線状となり、美しい仕上がりが実現される。
【００１１】
外壁面がルーバースクリーンによって覆われた部分である第３領域において、所定の階層に設けられた窓の水平方向の位置は、他の階層に設けられた窓の水平方向の位置に対してずれている。この構成によれば、第３領域では上下階で窓の位置が一致しないが、この第３領域がルーバースクリーンで覆われるため、窓の位置は外部から視認し難くなる。よって、窓の位置の不揃い感を解消できる。
【００１２】
第１領域および第２領域の少なくとも一方の領域において、所定の階層に設けられた窓の水平方向の位置は、他の階層に設けられた窓の水平方向の位置と一致する。この構成によれば、第１領域および第２領域の少なくとも一方の領域において上下階で窓の位置が一致するため、外壁面が露出する領域における美観性が向上する。
【００１３】
第１領域および第２領域の少なくとも一方の領域において、ルーバースクリーンが取り付けられた外壁面の最下層である１階から最上層までのいずれかの１つの階層にのみ窓が設けられる。この構成によれば、外壁面が露出する領域において、複数階層のうち１つの階層にのみ窓が設けられるため、すっきりした外観が実現される。
【００１４】
第１領域および第２領域の少なくとも一方の領域において、ルーバースクリーンが取り付けられた外壁面の最下層である１階から最上層までのいずれの階層にも窓が設けられない。この構成によれば、外壁面が露出する領域において、複数階層のうちいずれの階層にも窓が設けられないため、すっきりした外観が実現される。
【００１５】
第１領域および第２領域の少なくとも一方の領域において、１または複数の窓が設けられており、窓は、当該一方の領域内において左右対称に配置されている。この構成によれば、窓が領域内で左右対称に配置されることにより、その領域における美観性が向上する。
【００１６】
上記建物は所定の平面モジュールを有する規格化建物であり、外壁面は、平面モジュールの整数倍の幅を有する壁パネル及び窓が連設されて構成されており、複数本の縦桟材の配列ピッチは、平面モジュールの整数分の１であり、壁パネルの目地の端部または窓の端部の位置が複数本の縦桟材のうち１本の位置に一致する。この構成によれば、目地の端部または窓の端部の位置と縦桟の位置とが一致し、意匠性が向上する。また、ルーバースクリーンの各縦桟材で窓を覆う場合に、無駄なく窓を覆うことができる。
【発明の効果】
【００１７】
本発明によれば、建物のプラン自体を改変することなく外壁面の単調さを改善することができる。
【図面の簡単な説明】
【００１８】
【図１】本発明の一実施形態に係る建物を示す正面図である。
【図２】（ａ）は図１中のルーバースクリーンを示す斜視図、（ｂ）は下地材に対するルーバーユニットの取り付けを示す斜視図である。
【図３】（ａ）は階層間における取り付け構造を示す断面図、（ｂ）は基礎に対する取り付け構造を示す断面図である。
【図４】下地材に対する連結材の嵌め込みを示す側面図である。
【図５】（ａ）〜（ｄ）は各種のルーバーユニットを示す平面図である。
【図６】図１中のルーバースクリーン付近を拡大して示す正面図である。
【図７】図６のＶＩＩ−ＶＩＩ線に沿った断面図であり、１階部分の断面図である。
【図８】図６のＶＩＩＩ−ＶＩＩＩ線に沿った断面図であり、２階部分の断面図である。
【図９】図６のＩＸ−ＩＸ線に沿った断面図であり、屋上階部分の断面図である。
【図１０】本発明の他の実施形態に係る建物を示す正面図である。
【発明を実施するための形態】
【００１９】
以下、本発明の実施形態について、図面を参照しながら説明する。なお、図面の説明において同一要素には同一符号を付し、重複する説明は省略する。
【００２０】
図１および図２に示されるように、ルーバースクリーン1が取り付けられた建物２は、複数の階層を備えている。建物２は、たとえば陸屋根を有する２階建てであり、１階Ｆ１と２階Ｆ２とを備えている。建物２は、水平方向の一方側（図示右側）の部分において、２階Ｆ２の上に屋上階（陸屋根の上に転落防止用の腰高の外壁を巡らして、居住者が物干しや植物の栽培等の場として利用可能とした領域）Ｆ３を備えている。建物２は、たとえば３０５ｍｍの平面モジュールＭを有する工業化住宅（規格化建物）である。なお、本実施形態では、規格化建物の一例として工業化住宅を説明するが、本来、規格化建物とは、規格化（もしくは標準化）された複数の部材の組み合わせにより構築される建物を広く含む。また、平面モジュールＭとは、建築において設計上の基準となる基本寸法を意味し、建物の各部分を一定の大きさの倍数で統一するときの基準となる大きさを意味する。また、本実施形態では、ルーバースクリーン１が工業化住宅に適用される場合について説明するが、ルーバースクリーンは、工業化住宅以外の建物に適用することもできる。
【００２１】
工業化住宅である建物２を建築する際には、敷地の形状や所望の間取りに合わせて縦、横の通り芯（たとえば図７〜図９の通り芯Ｌ３参照）が設定される。通り芯とは、構造柱や構造柱間に架け渡される梁の配置の基準線であり、構造柱を割り付ける際などに利用され、例えば、縦、横の通り芯の交点に構造柱が設置される。また、通り芯は、外壁３を形成する際の基準になり、外壁３の出寸法、すなわち、外通りの通り芯から外壁面３ａまでの距離が所定の値となるように設定される。本実施形態に係る外壁３の出寸法は、ほぼ平面モジュールＭの整数分の１、具体的には、２分の１に設定されている。
【００２２】
建物２は、鉛直面に沿って延びる外壁面３ａを備えている。建物２は、たとえば、北側の敷地境界線に近接して配置されており、図１に示される外壁面３ａは、北側の外壁面である。この外壁面３ａは、複数の階層である１階Ｆ１から２階Ｆ２、さらには屋上階Ｆ３にわたって連続しており、同一平面内に形成されている。このような外壁面３ａは、通常、変化に乏しく単調なものとなりがちである。
【００２３】
建物２では、外壁面３ａの水平方向の中間部に、外壁面３ａの一部を覆う２つのルーバースクリーン１が取り付けられている。２つのルーバースクリーン１，１は、外壁面３ａに沿って平行に取り付けられている。一方のルーバースクリーン１は、建物２の１階Ｆ１の外壁面３ａに取り付けられて、１階Ｆ１に設けられた矩形の窓６１を覆っている。他方のルーバースクリーン１は、建物２の２階Ｆ２の外壁面３ａに取り付けられて、２階Ｆ２に設けられた矩形の窓６２を覆っている。これらのルーバースクリーン１，１は、窓６１，６２における遮光や目隠し等として機能するが、さらには、建物２の外壁面３ａにおける単調さを解消し得るように設けられている（詳しくは後述）。
【００２４】
各ルーバースクリーン１の基本的構成について説明する。図２（ａ）および図２（ｂ）に示されるように、ルーバースクリーン１は、所定の間隔をもって配列された複数の縦桟材２１を有するルーバーユニット２０を、建物２の外壁面３ａに沿って水平方向に複数並設することにより形成されている。これらのルーバーユニット２０は、建物２の外壁面３ａに対して水平に固定された２本の長尺状の壁際材（下地材）１６に取り付けられている。各ルーバーユニット２０は、壁際材１６に対向する位置に設けられて複数の縦桟材２１が固定された２本の胴縁（連結材）２２を有している。すなわち、胴縁２２は、複数の縦桟材２１の裏面側に固定されている。この胴縁２２が壁際材１６に対して係合し、固定されることにより、ルーバーユニット２０が壁際材１６に固定される。壁際材１６は、上記した開口部６よりも上方および下方の外壁面３ａに設けられている。
【００２５】
次に、外壁面３ａに対する壁際材１６の固定について説明する。図３（ａ）は、階層間における取り付け構造を示す断面図、図３（ｂ）は、基礎に対する取り付け構造を示す断面図である。図３（ａ）では、２階Ｆ２に取り付けられたルーバースクリーン１の下部と、１階Ｆ１に取り付けられたルーバースクリーン１の上部とが示されている。
【００２６】
図３（ａ）に示されるように、１階Ｆ１／２階Ｆ２間の取り付け構造Ａにおいては、２階床梁（躯体）２３に固定されてこの２階床梁２３から持ち出されたアンカー部材２４に、各壁際材１６が固定されている。より具体的には、アンカー部材２４は、２階床梁２３のウェブ部２３ａに固定された鋼板材からなるブラケット２６と、ブラケット２６の先端部の上下に固定された円筒状のナット２７と、ナット２７に螺合するボルト２８とから構成されている。これらのブラケット２６およびナット２７は、外壁３を構成するＡＬＣ製の壁パネル２９，２９間の合わせ部に介在されている。
【００２７】
アンカー部材２４のナット２７は、外壁面３ａから所定長さ突出している。このアンカー部材２４に壁際材１６が固定されることで、外壁面３ａと壁際材１６とが離隔しており、これらの間には隙間Ｓが形成されている。そのため、ルーバースクリーン１を取り付けた状態においても外壁面３ａのメンテナンスが容易に行えるようになっている。
【００２８】
図３（ｂ）に示されるように、基礎に対する取り付け構造Ｂにおいては、基礎（躯体）３０に固定されてこの基礎３０から持ち出されたアンカー部材３１に、壁際材１６が固定されている。より具体的には、アンカー部材３１は、２枚の断面Ｌ字状の取り付け金具３２ａ，３２ｂと、取り付け金具３２ａを基礎３０に対して固定するためのボルト・ナット３３と、取り付け金具３２ａ，３２ｂ同士を接合するためのボルト・ナット３４と、取り付け金具３２ｂに壁際材１６を固定するためのボルト・ナット３６とから構成されている。この取り付け構造Ｂにおいても、外壁面３ａと壁際材１６は離隔しており、外壁面３ａのメンテナンスが容易に行えるようになっている。
【００２９】
次に、壁際材１６に対する胴縁２２の接合について説明する。図４に示されるように、外壁面３ａに対して固定された壁際材１６は、断面Ｌ字状をなしている。壁際材１６は、ナット２７およびボルト２８によって起立片４２ａが固定されたＬ字状のベース板４２と、その起立片４２ａの上部から前方かつ水平に張り出すと共にその前端が上向きに折り返された（図４に示される折り返し部４０ａ）Ｌ字状の受け部４０と、ベース板４２の水平片４２ｂの前端から立ち上がると共にその上端が後ろ向き（外壁面３ａ側）に折り返されたＬ字状の引掛け部４１とを有している。受け部４０は、上方に開口している。
【００３０】
一方、縦桟材２１の裏面側にビス４５によって固定された胴縁２２は、断面逆Ｌ字状をなしており、壁際材１６に嵌合されることにより断面四角形の接合部Ｄ（図３参照）を構成する。胴縁２２は、ビス４５によって垂直片３９ａが固定された逆Ｌ字状のベース板３９と、ベース板３９の水平片３９ｂの後端から垂下すると共にその下端が前向きに折り返されたＬ字状の係合片３７と、ベース板３９の垂直片３９ａの下部から後方かつ水平に延びると共にその後端が下向きに折り返されたＬ字状の係合片３８とを有している。
【００３１】
上記構成を有する壁際材１６および胴縁２２において、ルーバーユニット２０が取り付けられる際には、壁際材１６の受け部４０に胴縁２２の係合片３７が上方から嵌入されると共に、壁際材１６の引掛け部４１に胴縁２２の係合片３８が上方から引っ掛けられる。すなわち、壁際材１６の受け部４０は、上方の開口を介して胴縁２２の係合片３７を受け入れる。そして、ルーバーユニット２０が壁際材１６に取り付けられた状態では、胴縁２２および縦桟材２１は、前後方向（外壁面３ａに直交する方向）への移動を規制される。すなわち、受け部４０の折り返し部４０ａが胴縁２２の前方（図示左方向）への移動を規制すると共に、起立片４２ａの上部が胴縁２２の後方（図示右方向）への移動を規制する。折り返し部４０ａは、係合片３７の前後方向における移動を規制する規制部に相当する。このようにして、胴縁２２の位置決めがなされる。なお、胴縁２２は、図示しないビスによって壁際材１６に対して固定され、これによって横方向（壁際材１６の延在方向）の移動が拘束される。
【００３２】
次に、ルーバーユニット２０の構成について説明する。図５（ａ）〜（ｄ）は、ルーバースクリーン１に用いられる各種のルーバーユニット２０の一例を示す平面図である。これらは、建物２の外壁面３ａの構成によって適宜組み合わせられる。なお、図５（ａ）〜（ｄ）に示したルーバーユニット２０以外にも、縦桟材２１の本数の異なるルーバーユニットを用いてもよい。
【００３３】
図５（ａ）に示されるルーバーユニット２０Ａは、８本の縦桟材２１を有しており、建物２の外側から見て右側専用として用いられるルーバーユニットである。図５（ｂ）に示されるルーバーユニット２０Ｂは、７本の縦桟材２１を有しており、建物２の外側から見て左側および中間部に用いられるルーバーユニットである。図５（ｃ）に示されるルーバーユニット２０Ｃは、６本の縦桟材２１を有しており、建物２の外側から見て右側専用として用いられるルーバーユニットである。図５（ｄ）に示されるルーバーユニット２０Ｄは、５本の縦桟材２１を有しており、建物２の外側から見て左側および中間部に用いられるルーバーユニットである。
【００３４】
これらのルーバーユニット２０Ａ〜２０Ｄにおいては、縦桟材２１の配列ピッチＰは、６１ｍｍであり、３０５ｍｍの平面モジュールＭの５分の１（整数分の１）となっている。また、ルーバーユニット２０Ａ，２０Ｃにおいては、胴縁２２の左右端縁２２ａ，２２ｂは、複数の縦桟材２１の左右端面２１ａ，２１ｂに一致している。一方、ルーバーユニット２０Ｂ，２０Ｄにおいては、向かって左側の端縁（一端縁）２２ａは縦桟材２１の左側の端面（一端面）２１ａに一致しているが、向かって右側の端縁（他端縁）２２ｂは、縦桟材２１の右側の端面（他端面）２１ｂから長さＲだけ延出している。そして、この延出長さＲは、縦桟材２１同士の間隔に等しくなっている。なお、ルーバーユニット２０Ａ，２０Ｂ，２０Ｃ，２０Ｄの幅Ｗ１，Ｗ２，Ｗ３，Ｗ４は、それぞれ４５８ｍｍ、４２７ｍｍ、３３６ｍｍ、３０５ｍｍである。
【００３５】
このようなルーバーユニット２０Ａ〜２０Ｄ等を組み合わせることにより、規格化建物におけるどのような外壁面３ａにも、美観を損なうことなくルーバースクリーン１を取り付けることができる。
【００３６】
図１に戻り、建物２の外壁面３ａに取り付けられたルーバースクリーン１，１の大きさおよび配置について説明する。１階Ｆ１に設けられた下側のルーバースクリーン１の幅と、２階Ｆ２に設けられた上側のルーバースクリーン１の幅とは同一である。これらのルーバースクリーン１，１の水平方向の位置は等しくされており、水平方向の両端部の位置は一致している。このようにして上下方向に並設されたルーバースクリーン１，１は、ルーバースクリーン１，１が取り付けられた中間部の最下層である１階Ｆ１の下端から、最上層である２階Ｆ２の上端まで達している。すなわち、ルーバースクリーン１，１は、外観上、建物２の単調な外壁面３ａを２つに分断している。
【００３７】
このような配置により、ルーバースクリーン１，１の水平方向の一方側および他方側には、外壁面３ａがルーバースクリーン１，１によって覆われずに露出する部分である第１領域５１および第２領域５２がそれぞれ形成されている。言い換えれば、第１領域５１と第２領域５２とは、ルーバースクリーン１，１によって、外観上、完全に分断されて非連続となっている。建物２では、第１領域５１および第２領域５２は、それぞれ矩形状である。このようにして、平坦で単調な外壁面３ａに変化が与えられている。
【００３８】
図６に示されるように、第１領域５１と第２領域５２との間の矩形状の第３領域５３は、ルーバースクリーン１，１によって覆われる。この第３領域５３の１階Ｆ１部分に、窓６１が設けられ、２階Ｆ２部分に窓６２が設けられている。
【００３９】
ここで、外壁面３ａがルーバースクリーン１，１によって覆われた部分である第３領域５３において、２階Ｆ２に設けられた窓６２の水平方向の位置は、１階Ｆ１に設けられた窓６１の水平方向の位置に対してずれている。すなわち、窓６１の幅と、窓６２の幅は異なっており、窓６１の水平方向の端部の位置と、窓６２の水平方向の端部の位置は異なっている。このように水平方向の位置ずれを有する窓６１，６２であっても、ルーバースクリーン１，１によって覆われているので、窓６１，６２による外観上の不揃い感は低減されている。
【００４０】
図１に示されるように、露わとなっている第１領域５１の１階Ｆ１部分には、矩形の窓６３が設けられ、２階Ｆ２部分には、矩形の窓６４が設けられている。２階Ｆ２に設けられた窓６４の水平方向の位置は、１階Ｆ１に設けられた窓６３の水平方向の位置と一致している。すなわち、窓６３の幅と、窓６４の幅は同じであり、窓６２の水平方向の端部の位置と、窓６４の水平方向の端部の位置も同じである。このような窓６３，６４の配置により、第１領域５１における外観が美しくなっている。
【００４１】
また、露わとなっている第２領域５２の１階Ｆ１部分には、２つの窓６６，６７が水平方向に並設されている。一方、第２領域５２の２階Ｆ２部分には、窓が設けられていない。すなわち、ルーバースクリーン１，１が取り付けられた外壁面３ａの最下層である１階Ｆ１にのみ窓が設けられている。
【００４２】
さらには、１階Ｆ１に設けられた２つの窓６６，６７は、第２領域５２内において左右対称に配置されている。言い換えれば、窓６６，６７は、第２領域５２の水平方向における中心線Ｌ２に関して対象に配置されている。そのため、左側の窓６６の左端と第２領域５２の左端との距離（余白部分）は、右側の窓６７の右端と第２領域５２の右端との距離（余白部分）に等しい。
【００４３】
このように、第２領域５２における窓６６，６７の配置と、２階Ｆ２には窓が設けられないことにより、美しくかつすっきりした外観が実現されている。
【００４４】
建物２において、第１領域５１および第３領域５３は、外壁面３ａ全面のうち向かって左側の部分に相当し、屋上階Ｆ３を含まない、１階Ｆ１および２階Ｆ２の外壁面３ａの左側部分である。第２領域５２は、外壁面３ａ全面のうち向かって右側の部分に相当し、１階Ｆ１、２階Ｆ２および屋上階Ｆ３を含む、外壁面３ａの右側部分である。
【００４５】
外壁面３ａは、第１領域５１および第３領域５３を構成する低壁部ＬＷと、低壁部ＬＷに水平方向で隣接して、第２領域５２を構成する高壁部ＨＷとを有する。高壁部ＨＷは、屋上階Ｆ３の分だけ、低壁部ＬＷよりも高くなっている。低壁部ＬＷと高壁部ＨＷとの間には、鉛直方向に延在する段部Ｇが形成されている。
【００４６】
建物２では、ルーバースクリーン１，１は低壁部ＬＷに取り付けられている。図１、図６および図９に示されるように、ルーバースクリーン１，１の水平方向の側端部（高壁部ＨＷ側の側端部）は、水平方向の位置において、低壁部ＬＷと高壁部ＨＷとの境界線Ｌ１に略一致している。すなわち、ルーバースクリーン１，１の高壁部ＨＷ側の端部の縦桟材２１の位置は、高壁部ＨＷの端部ライン（高壁部ＨＷに直交する外壁面３ａ（図９参照）のツラ）に略一致している。このように、異なる高さを有する低壁部ＬＷおよび高壁部ＨＷ間の境界線Ｌ１にルーバースクリーン１，１の端部を合わせることにより、美しい外観が実現されている（図１参照）。
【００４７】
上記したように、規格化建物である建物２の外壁面３ａは、平面モジュールＭの整数倍の幅（Ｍ×Ｎ）を有する壁パネル２９が連設されて構成されているが、窓６１，６２，６３，６４，６６，６７も、平面モジュールＭの整数倍の幅（Ｍ×Ｎ）を有している。すなわち、外壁面３ａは、基本的に、平面モジュールＭの整数倍の幅（Ｍ×Ｎ）を有する壁パネル２９及び窓６１，６２，６３，６４，６６，６７等が連設されて構成されている。
【００４８】
図７〜９に示されるように、ルーバーユニット２０を構成する複数本の縦桟材２１の配列ピッチＰは、平面モジュールＭの整数分の１（Ｍ／ｎ、本実施形態では３０５／５＝６１ｍｍ）であり、壁パネル２９の目地（パネル目地または化粧目地）の端部の位置または窓６１，６２の端部の位置が、複数本の縦桟材２１のうち１本の位置に一致している。
【００４９】
また、図９に示されるように、建物２において、通り芯Ｌ３からの外壁面３ａ（高壁部ＨＷに直交する外壁面３ａ）の出寸法は、およそ平面モジュールＭの整数分の１（Ｍ／ｎ´、本実施形態では１４８ｍｍ≒３０５／２＝１５２．５ｍｍ）である。
【００５０】
以上説明した建物２によれば、外壁面３ａの水平方向の中間部には、複数本の縦桟材２１を有する矩形状のルーバースクリーン１，１が取り付けられる。このルーバースクリーン１，１は、最下層である１階Ｆ１の下端から、中間部における最上層である２階Ｆ２の上端まで達するように設けられて、ルーバースクリーン１，１の水平方向の両側には、ルーバースクリーン１，１によって覆われずに露出する第１領域５１および第２領域５２が形成される。よって、本来単調である外壁面３ａが、１階Ｆ１の下端から２階Ｆ２の上端まで連層で設けられたルーバースクリーン１，１により分断されて非連続となるため、建物２のプラン自体を改変することなく、外壁面３ａの単調さが改善されている（図１参照）。
【００５１】
また、低壁部ＬＷに沿って取り付けられたルーバースクリーンの側端部が低壁部ＬＷと高壁部ＨＷとの境界線Ｌ１に略一致するため、露出している方の壁部である高壁部ＨＷとルーバースクリーンとの境界が一直線状となり（段部Ｇと一直線状となり）、美しい仕上がりが実現される。
【００５２】
また、第３領域５３では上下階で窓６１，６２の位置が一致しないが、この第３領域５３がルーバースクリーン１，１で覆われるため、窓６１，６２の位置は外部から視認し難くなる。よって、窓６１，６２の位置の不揃い感が解消されている。
【００５３】
従来の技術では、開口部の大きさや配置によってパネルの位置や大きさが決まるため、上述したように北側の外壁面において室内空間の制約を受けた場合には、上下階での窓の位置の不揃いを解決することはできなかった。建物２に設けられたルーバースクリーン１，１によれば、窓６１，６２の位置の不揃い感が容易に解消される。
【００５４】
また、第１領域５１において上下階で窓６３，６４の位置が一致するため、外壁面３ａが露出する領域における美観性が向上している。
【００５５】
また、外壁面３ａが露出する第２領域５２において、複数階層Ｆ１，Ｆ２のうち１階Ｆ１にのみ窓６６，６７が設けられるため、すっきりした外観が実現されている。
【００５６】
また、窓６６，６７は、第２領域５２内において左右対称に配置されていることにより、第２領域５２における美観性が向上している。
【００５７】
また、縦桟材２１の配列ピッチＰは、平面モジュールＭの整数分の１（Ｍ／ｎ）であり、壁パネル２９の目地の端部の位置または窓６１，６２の端部の位置が、複数本の縦桟材２１のうち１本の位置に一致しているため、目地の端部または窓６１，６２の端部の位置と縦桟の位置とが一致し、意匠性が向上している（図１参照）。また、ルーバースクリーン１，１の各縦桟材２１で窓６１，６２を覆う場合に、無駄なく窓を覆うことができる（図６参照）。
【００５８】
図１０は、本発明の他の実施形態に係る建物を示す正面図である。図１０に示される建物２Ａは、２階建ての工業化住宅（規格化建物）であり、１階Ｆ１と２階Ｆ２とを備えている。建物２Ａは、１階Ｆ１と２階Ｆ２とにわたって連続し、同一面内に形成された平坦かつ単調な外壁面３ａを備えている。建物２の外壁面３ａには、水平方向の中間部において複数本の縦桟材２１を有する矩形状のルーバースクリーン１Ａ，１Ａが取り付けられている。ルーバースクリーン１Ａ，１Ａの構成は、ルーバースクリーン１，１の構成と同様である。このルーバースクリーン１Ａ，１Ａによって、本来単調である外壁面３ａは２つに分断されており、第１領域５１と第２領域５２とが形成されている。これにより、建物２のプラン自体を改変することなく、外壁面３ａの単調さが改善されている。
【００５９】
また、第１領域５１には、ルーバースクリーン１Ａ，１Ａが取り付けられた外壁面３ａの最下層である１階Ｆ１から最上層である２階Ｆ２までのいずれの階層にも、窓は設けられない。このように、外壁面３ａが露出する第１領域５１において、１階Ｆ１および２階Ｆ２のうちいずれの階層にも窓が設けられないため、すっきりした外観が実現されている。
【００６０】
また、露わとなっている第２領域５２の２階Ｆ２部分には、１つの窓６８が設けられている。一方、第２領域５２の１階Ｆ１部分には、窓が設けられていない。すなわち、ルーバースクリーン１Ａ，１Ａが取り付けられた外壁面３ａの最上層である２階Ｆ２にのみ窓が設けられている。このように、複数階層Ｆ１，Ｆ２のうち２階Ｆ２にのみ窓６８が設けられるため、すっきりした外観が実現されている。
【００６１】
さらには、２階Ｆ２に設けられた窓６８は、第２領域５２内において左右対称に配置されている。言い換えれば、窓６８は、第２領域５２の水平方向における中心線Ｌ２に関して対象に配置されている。そのため、窓６８の左端と第２領域５２の左端との距離（余白部分）は、窓６８の右端と第２領域５２の右端との距離（余白部分）に等しい。このように第２領域５２内において窓６８が左右対称に配置されていることにより、第２領域５２における美観性が向上している。
【００６２】
なお、ルーバースクリーン１Ａ，１Ａによって覆われた第３領域５３において、１階Ｆ１部分には窓７１が設けられ、２階Ｆ２部分には窓７２が設けられている。窓７１および窓７２は同じ大きさ・形状であり、その水平方向の側端部の位置は揃っている。
【００６３】
以上、本発明の実施形態について説明したが、本発明は上記実施形態に限られるものではない。たとえば、建物２，２Ａでは、建物が２階建てである場合について説明したが、建物は３階建て以上であってもよい。第１領域５１および第２領域５２は、矩形状である場合に限られず、隅部が切り欠かれた形状であってもよいし、斜辺を有する形状であってもよい。
【００６４】
また、建物２では、ルーバースクリーン１，１によって覆われる第３領域５３の窓６１の幅と窓６２の幅が異なっている場合について説明したが、１階Ｆ１の窓の幅と２階Ｆ２の窓の幅が同じであって、水平方向の位置がずれていてもよい。第３領域５３における１階Ｆ１の窓の位置と２階Ｆ２の窓の位置が揃っていてもよい。
【００６５】
低壁部ＬＷと高壁部ＨＷとを有する建物において、ルーバースクリーン１，１は、低壁部ＬＷに取り付けられる場合に限られず、高壁部ＨＷに取り付けられてもよい。その場合、ルーバースクリーン１，１は、屋上階Ｆ３の上端にまで達するように設けられてもよい。ルーバースクリーン１，１の低壁部ＬＷ側の側端部を境界線Ｌ１（すなわち段部Ｇ）に一致させることにより、美しい仕上がりが実現される。
【符号の説明】
【００６６】
１，１Ａ…ルーバースクリーン、２，２Ａ…建物、３ａ…外壁面、２０…ルーバーユニット、２１…縦桟材、５１…第１領域、５２…第２領域、５３…第３領域、６１，６２…窓、６３，６４…窓、６６，６７…窓、６８…窓、ＨＷ…高壁部、Ｆ１…１階、Ｆ２…２階、Ｆ３…屋上階、Ｇ…段部、Ｌ１…境界線、ＬＷ…低壁部、Ｐ…配列ピッチ。
【図１】
2015031048.tif 000003
【図２】
2015031048.tif 000004
【図３】
2015031048.tif 000005
【図４】
2015031048.tif 000006
【図５】
2015031048.tif 000007
【図６】
2015031048.tif 000008
【図７】
2015031048.tif 000009
【図８】
2015031048.tif 000010
【図９】
2015031048.tif 000011
【図１０】
2015031048.tif 000012